(57)【要約】【課題】標的組織に照射されるレーザスポット径やエネルギー密度を簡単に設定する。【解決手段】患者眼Ｅの眼底ＥＦに所定のエネルギー密度及び所定のスポット径のレーザスポットＬＳを照射する眼科レーザシステム１であって、出力パワーを可変にレーザ光を射出する治療光源１２と、所定のビーム径としたレーザビームを出力するレーザビーム径設定手段２８０と、患者眼Ｅに装着するコンタクトレンズＣＬの情報、眼底ＥＦに照射されるべきレーザスポットのエネルギー密度、及びスポット径の値を入力するタッチパネル９５と、コンタクトレンズ情報入力手段及び照射ビーム値入力手段からの情報に基づいて演算を行い、光源の出力パワー、及びレーザビーム径設定手段が出力するレーザビームのビーム径を出力する演算部９６と、演算部９６の出力に基づいて治療光源１２及びレーザビーム径設定手段２８０を駆動動御する駆動制御部９７とを備える。【選択図】図１
2018102644.tif 000002
【特許請求の範囲】
【請求項１】
患者眼の標的組織に所定のエネルギー密度及び所定のスポット径のレーザスポットを照射する眼科レーザシステムであって、
出力パワーを可変にレーザ光を射出する光源と、
前記光源からの前記レーザ光を受け、所定のビーム径としたレーザビームを出力するレーザビーム径設定手段と、
前記患者眼に装着するコンタクトレンズの情報を入力するコンタクトレンズ情報入力手段と、
前記標的組織に照射されるべき前記レーザスポットの前記エネルギー密度、及び前記スポット径のうち少なくとも一方の値を入力する照射ビーム値入力手段と、
前記コンタクトレンズ情報入力手段及び前記照射ビーム値入力手段からの情報に基づいて演算を行い、前記光源の出力パワー、及び前記レーザビーム径設定手段が出力するレーザビームのビーム径のうち少なくとも一方を出力する演算手段と、
前記演算手段の出力に基づいて前記光源及び前記レーザビーム径設定手段の駆動を制御する駆動制御部と、を備えることを特徴とする眼科レーザシステム。
【請求項２】
前記演算手段は、前記コンタクトレンズ情報入力手段及び前記照射ビーム値入力手段からの情報に基づいて前記光源の出力パワーを出力し、
前記駆動制御部は、前記光源を制御することを特徴とする請求項１に記載の眼科レーザシステム。
【請求項３】
前記演算手段は、前記コンタクトレンズ情報入力手段及び前記照射ビーム値入力手段からの情報に基づいて演算を行い、前記レーザビーム径設定手段が出力するレーザビームのビーム径を出力し、
前記駆動制御部は、前記レーザビーム径設定手段を制御することを特徴とする請求項１に記載の眼科レーザシステム。
【請求項４】
前記コンタクトレンズ情報入力手段には、前記患者眼に装着する前記コンタクトレンズのレーザスポット倍率を入力することを特徴とする請求項１から請求項３までのいずれか一項に記載の眼科レーザシステム。
【請求項５】
前記患者眼に装着する前記コンタクトレンズの名称とこのコンタクトレンズのレーザスポット倍率とを関連付けて記憶するコンタクトレンズデータ格納手段を備え、
前記コンタクトレンズ情報入力手段には、前記コンタクトレンズの名称を入力し、前記演算手段は、前記コンタクトレンズデータ格納手段から当該コンタクトレンズのレーザスポット倍率を取得して演算を行うことを特徴とする請求項１から請求項３までのいずれか一項に記載の眼科レーザシステム。
【請求項６】
前記エネルギー密度及び前記スポット径を表示する表示手段を備えることを特徴とする請求項１から請求項５までのいずれか一項に記載の眼科レーザシステム。
【請求項７】
前記コンタクトレンズ情報入力手段及び前記照射ビーム値入力手段はタッチパネルであることを特徴とする請求項１から請求項６までのいずれか一項に記載の眼科レーザシステム。
【発明の詳細な説明】
【技術分野】
【０００１】
本発明は網膜光凝固を行うためレーザ光を患部に照射する眼科レーザシステムに関する。
【背景技術】
【０００２】
眼科レーザシステムとしてのレーザ治療装置は様々な眼疾患の治療に用いられる。例えば、ある種の緑内障の治療において、隅角（線維柱帯を含む、角膜と虹彩との間の部位）にレーザを照射して房水の流出路を形成する治療法がある。また、糖尿病網膜症などの網膜疾患においては、網膜光凝固術が用いられる。
【０００３】
また、レーザ治療装置において、所定パターン（複数のスポットの配列）の照準光を用いて治療部位に照準を合わせた後、その治療部位に所定スポットサイズを備える所定パターンのレーザ光を照射するよう構成されたものが知られている。
【０００４】
このようなレーザ治療においては、患者眼に当接されたレーザ治療用のコンタクトレンズを介して治療部位の観察やレーザの照射が行われる。このコンタクトレンズを使用すると、患者眼の眼底にレーザ光を照射できる。
【０００５】
図７は患者眼に装着したコンタクトレンズを透過するレーザビームを示す模式図、図８はコンタクトレンズのコンタクトレンズ使用時のスポット倍率と、眼定常のスポット径、スポット面積、エネルギー密度の関係を示す表である。
【０００６】
ここで、レーザ治療装置で設定するレーザスポットサイズは空気中における集光位置での大きさで指定される。図５に示すように、コンタクトレンズＣＬを介したレーザ光Ｌは、患者眼Ｅを通過して眼底ＥＦにレーザスポットＬＳを照射する。ここでコンタクトレンズＣＬは、使用の目的により所定のスポット倍率（１倍、１．４４倍、２倍等）を備える。
【０００７】
このため、レーザ治療装置でレーザスポットの大きさ（直径ｄ）を指定しても、コンタクトレンズＣＬを介して患者眼の標的組織に照射されるレーザスポットの大きさ（直径Ｄ）とは異なっている。図６にコンタクトレンズのスポット倍率と、眼底上のスポット径、スポット面積、エネルギー密度の関係を示す。この表は、光源のパワーを３００ｍＷとして、スポット径の設定を２００μｍとして２０ｍｓにわたりレーザ光を照射したときの値を示している、コンタクトレンズＣＬのスポット倍率を１倍から、１．４４倍、２倍とすると、眼底ＥＦでのスポット径が、１倍、１．４４倍、２倍になり、同スポット面積が１倍、約２倍、４倍となり、同エネルギー密度が１、約１／２、１／４となることがわかる。
【０００８】
施術者は、実際に標的組織に照射されるスポット径やエネルギー密度を把握してレーザ光を照射する必要がある。このため施術者の便宜を図るため様々な技術が提案されている。
【０００９】
特許文献１には、患者の治療に使用するコンタクトレンズのレーザスポット倍率に関するデータ、及び治療レーザ光の空気中におけるスポットサイズを設定したデータを入力し、これらの入力されたデータに基づいて患者眼患部に照射される実スポットサイズを演算して表示するものが記載されている。
【００１０】
また、特許文献２には、コンタクトレンズ保持部で取得したコンタクトレンズのスポット倍率に基づいてコンタクトレンズのスポット倍率を自動取得して、レーザスポットにおけるエネルギー密度を表示するものが記載されている。
【先行技術文献】
【特許文献】
【００１１】
【特許文献１】特開平１１−３３２９０５号公報
【特許文献２】特開２０１６−１５０９６７公報
【発明の概要】
【発明が解決しようとする課題】
【００１２】
しかし、標的組織に照射されるレーザスポットの径やエネルギー密度は、施術の内容に最適なものが変更されることがある。そこで、入力したコンタクトレンズの倍率に応じて光源の出力やレーザスポットの径を自動的に設定し、表示したいという要望がある。
【００１３】
本発明は上述した課題に鑑みてなされたものであり、標的組織に照射される光源の出力やレーザスポットの径を簡単に設定し、表示することができる眼科レーザシステムを提供することを目的とする。
【課題を解決するための手段】
【００１４】
前記課題を解決する請求項１に記載の発明は、患者眼の標的組織に所定のエネルギー密度及び所定のスポット径のレーザスポットを照射する眼科レーザシステムであって、出力パワーを可変にレーザ光を射出する光源と、前記光源からの前記レーザ光を受け、所定のビーム径としたレーザビームを出力するレーザビーム径設定手段と、前記患者眼に装着するコンタクトレンズの情報を入力するコンタクトレンズ情報入力手段と、前記標的組織に照射されるべき前記レーザスポットの前記エネルギー密度、及び前記スポット径のうち少なくとも一方の値を入力する照射ビーム値入力手段と、前記コンタクトレンズ情報入力手段及び前記照射ビーム値入力手段からの情報に基づいて演算を行い、前記光源の出力パワー、及び前記レーザビーム径設定手段が出力するレーザビームのビーム径のうち少なくとも一方を出力する演算手段と、前記演算手段の出力に基づいて前記光源及び前記レーザビーム径設定手段の駆動を制御する駆動制御部と、を備えることを特徴とする。
【００１５】
同じく請求項２に記載の発明は、請求項１に記載の眼科レーザシステムにおいて、前記演算手段は、前記コンタクトレンズ情報入力手段及び前記照射ビーム値入力手段からの情報に基づいて前記光源の出力パワーを出力し、前記駆動制御部は、前記光源を制御することを特徴とする。
【００１６】
同じく請求項３に記載の発明は、請求項１に記載の眼科レーザシステムにおいて、前記演算手段は、前記コンタクトレンズ情報入力手段及び前記照射ビーム値入力手段からの情報に基づいて演算を行い、前記レーザビーム径設定手段が出力するレーザビームのビーム径を出力し、前記駆動制御部は、前記レーザビーム径設定手段を制御することを特徴とする。
【００１７】
同じく請求項４に記載の発明は、前記コンタクトレンズ情報入力手段には、前記患者眼に装着する前記コンタクトレンズのレーザスポット倍率を入力することを特徴とする請求項１から請求項３までのいずれか一項に記載の眼科レーザシステム。
【００１８】
同じく請求項５に記載の発明は、請求項１から請求項３までのいずれか一項に記載の眼科レーザシステムにおいて、前記患者眼に装着する前記コンタクトレンズの名称とこのコンタクトレンズのレーザスポット倍率とを関連付けて記憶するコンタクトレンズデータ格納手段を備え、前記コンタクトレンズ情報入力手段には、前記コンタクトレンズの名称を入力し、前記演算手段は、前記コンタクトレンズデータ格納手段から当該コンタクトレンズのレーザスポット倍率を取得して演算を行うことを特徴とする。
【００１９】
同じく請求項６に記載の発明は、請求項１から請求項５までのいずれか一項に記載の眼科レーザシステムにおいて、前記エネルギー密度及び前記スポット径を表示する表示手段を備えることを特徴とする。
【００２０】
同じく請求項７に記載の発明は、請求項１から請求項６までのいずれか一項に記載の眼科レーザシステムにおいて、前記コンタクトレンズ情報入力手段及び前記照射ビーム値入力手段はタッチパネルであることを特徴とする。
【発明の効果】
【００２１】
本発明に係る眼科レーザシステムによれば、眼科レーザシステムから標的組織に照射されるレーザスポットの径やエネルギー密度を簡単に設定することができる。
【００２２】
即ち、請求項１に記載の眼科レーザシステムによれば、照射ビーム値入力手段から標的組織に照射されるべきレーザスポットのエネルギー密度、及びスポット径のうち少なくとも一方の値を入力すると、演算手段がコンタクトレンズ情報入力手段及び照射ビーム値入力手段からの情報に基づいて演算を行い、光源の出力パワー、及びレーザビーム径設定手段が出力するレーザビームのビーム径のうち少なくとも一方を出力し、駆動制御部が演算手段の出力に基づいて光源及び前記レーザビーム径設定手段の駆動を制御するので、入力手段で標的組織に照射されるレーザスポットの径やエネルギー密度を入力するだけで、簡眼科レーザシステムを簡単に設定することができる。
【００２３】
また、請求項２に記載の眼科レーザシステムによれば、演算手段はコンタクトレンズ情報入力手段及び照射ビーム値入力手段からの情報に基づいて演算を行ってレーザビーム径設定手段が出力するレーザビームのビーム径を出力し、駆動制御部はレーザビーム径設定手段を制御するので、眼科レーザシステムから標的組織に照射されるレーザスポットの径やエネルギー密度を簡単に設定することができる。
【００２４】
また、請求項３に記載の眼科レーザシステムによれば、演算手段はコンタクトレンズ情報入力手段及び前記照射ビーム値入力手段からの情報に基づいて演算を行ってレーザビーム径設定手段が出力するレーザビームのビーム径を出力し、駆動制御部はレーザビーム径設定手段を制御するので、眼科レーザシステムから標的組織に照射されるレーザスポットの径やエネルギー密度を簡単に設定することができる。
【００２５】
また、請求項４に記載の眼科レーザシステムによれば、コンタクトレンズ情報入力手段に患者眼に装着するコンタクトレンズのレーザスポット倍率を入力すると演算手段がレーザビーム径設定手段とするだけで眼科レーザシステムを容易に設定することができる。
【００２６】
また、請求項５に記載の眼科レーザシステムによれば、コンタクトレンズ情報入力手段にコンタクトレンズの名称を入力すると演算手段がコンタクトレンズデータ格納手段から当該コンタクトレンズのレーザスポット倍率を取得して演算を行うので、コンタクトレンズの名称を入力するだけで眼科レーザシステムを簡単に設定することができる。
【００２７】
また、請求項６に記載の眼科レーザシステムによれば、エネルギー密度及び前記スポット径を表示する表示手段を備えるので、施術者は実際に標的組織に照射されるレーザスポットの径とエネルギー密度を確認することができる。
【００２８】
更に、請求項７に記載の眼科レーザシステムによれば、コンタクトレンズ情報入力手段及び前記照射ビーム値入力手段はタッチパネルであるので、各値の入力を容易に行うことができる。
【図面の簡単な説明】
【００２９】
【図１】本発明の実施形態に係る眼科レーザシステムの構成を示すものであり、（ａ）は全体構造を示すブロック図、（ｂ）は制御部の機能構成を示すブロック図である。
【図２】同眼科レーザシステムのレーザビーム径設定手段の構成を示す模式図である。
【図３】同眼科レーザシステムのタッチパネルを示すものであり、（ａ）は操作面の模式図、（ｂ）はレーザアウトプット指定部の遷移を示すフローチャートである。
【図４】同眼科レーザシステムの処理を示すフローチャートである。
【図５】レーザアウトプットを一定とした場合の操作面を示す模式図である。
【図６】レーザスポット径を一定とした場合の操作面を示す模式図である。
【図７】患者眼に装着したコンタクトレンズを透過するレーザビームを示す模式図である
【図８】コンタクトレンズのコンタクトレンズ使用時のスポット倍率と、眼定常のスポット径、スポット面積、エネルギー密度の関係を示す表である。
【発明を実施するための形態】
【００３０】
本発明を実施するための形態に係る眼科レーザシステムについて説明する。以下、眼科レーザシステムとして走査型のレーザ治療装置について説明する。図１は本発明の実施形態に係る眼科レーザシステムの構成を示すものであり、（ａ）は全体構造を示すブロック図、（ｂ）は制御部の機能構成を示すブロック図、図２は同眼科レーザシステムのレーザビーム径設定手段の構成を示す模式図である。眼科レーザシステム１は、患者の眼底ＥＦの上にレーザスポットのパターンを生成し照射する。眼科レーザシステム１は光源アセンブリ２、及びスリット・ランプ・アセンブリ３を含んで構成される。
【００３１】
光源アセンブリ２は、治療を行うためのレーザ光である治療ビーム１４を生成する出力パワーが可変な光源である治療光源１２、及び照準を行うための照準ビーム１８を生成する照準光源１６を含む。治療光源１２からの治療ビーム１４は、最初にレンズ２０により調整される。このレンズ２０は、射出光が曲面鏡２２と組み合わせて用いられて光学ファイバ束２４に入射するように治療ビーム１４を調整する。レンズ２０に入射した後、治療ビーム１４は部分的反射鏡２６によりサンプリングされる。
【００３２】
部分的反射鏡２６により反射された光は、治療ビーム１４の出力パワーをモニタして治療光源１２が所望の出力で動作していることを保証するフォトダイオード２８の入力として用いられる。鏡３０は治療ビーム１４を曲面鏡２２に向けるのに用いられ、曲面鏡２２は治療ビーム１４を可動鏡３２に向ける。照準光源１６からの照準ビーム１８は鏡３４及び３６を介して可動鏡３２に向けられる。
【００３３】
可動鏡３２はガルバノスキャナ上に取り付けることが好ましく、治療ビーム１４、照準ビーム１８を、任意の所与の時間に、光学ファイバ束２４の光学ファイバ２４ａ、２４ｂ、２４ｃ、２４ｄのファイバポート２５ａ、２５ｂ、２５ｃ、２５ｄのうちの１つに選択的に向けるように駆動される。なお、ガルバノスキャナに代えてピエゾ・アクチュエータ又は他の周知の光学移動デバイスにより駆動することができる。可動鏡３２及び各光学ファイバ２４ａ、２４ｂ、２４ｃ、２４ｄは、それぞれ異なる大きさ（レーザスポット径）のレーザビームを出力するレーザビーム径設定手段２８０として機能する。
【００３４】
図２は同眼科レーザシステムにおけるレーザビーム径設定手段の構成を示す模式図である。可動鏡３２からの光は、光学ファイバ２４ａ〜２４ｄの各ファイバポート２５ａ、２５ｂ、２５ｃ、２５ｄのいずれかに入射される。この例では、ファイバポート２５ａが４００μｍ、ファイバポート２５ｂが１００μｍ、ファイバポート２５ｃが５０μｍ、２５ｄが２００μｍのスポットサイズを備えるレーザビームを出力するために用いられる。
【００３５】
そしてその際、レンズ４２、４４は治療ビーム１４、照準ビーム１８を選択された光学ファイバ内に集光する。可動鏡３２は、レンズ２０から１焦点距離分だけ離して、テレセントリック走査条件をもたらすことが好ましい。なお、治療ビーム１４を全ての光学ファイバ２４ａ〜２４ｄに平行経路で注入することを可能にし、これが光学ファイバ束にわたる発射開口数を維持する。光学ファイバ２４ａ〜２４ｄに隣接してビーム・ダンプ３８、４０が配置され、このビーム・ダンプ３８、４０が治療ビーム１４を待機位置に保持することに寄与する。
【００３６】
光学ファイバ２４ａ〜２４ｄは、光源アセンブリ２からの治療及び治療ビーム１４、照準ビーム１８をスリット・ランプ・アセンブリ３に伝える。付加的な光学ファイバ４６は、治療及び／又は治療ビーム１４、照準ビーム１８を、エンドプローブ又はレーザ間接検眼鏡（図示せず）などの他の手段を介して患者に向けるのに用いることができる。
【００３７】
スリット・ランプ・アセンブリ３は、光学ファイバ２４ａ〜２４ｄを受け入れる光学ファイバ入力部５０、スキャナ部であるスキャナ・アセンブリ５２、送出アセンブリ５４、及び双眼鏡アセンブリ５６を備えている。光学ファイバ入力部５０は光学ファイバ２４ａ〜２４ｄの各々に特有の光学調整システムを備え、その結果各々の光学ファイバが、スリット・ランプ・アセンブリ３の画像平面ＩＰに上述したスポットサイズを作る。
【００３８】
例えば、光学ファイバ２４ａからの光は、初めに、光をコリメートするレンズ５８ａ、次いで、光ビームの中央部分以外を全て覆うことにより有効開口数を減らすアパーチャ６０に出会う。光学ファイバ２４ｂ〜２４ｄからの光は初めに、それぞれレンズ５８ｂ〜５８ｄに出会う。レンズ５８ｂ〜５８ｄは画像平面ＩＰにおいて、続いてコンタクトレンズＣＬを経て標的組織（眼底ＥＦ）において、所定の径のレーザスポットＬＳを照射する。
【００３９】
図示された眼科レーザシステム１においては、光学ファイバ２４ａ及び２４ｂは同じコア直径を有するが、異なるレンズ５８ａ及び５８ｂを用いて異なるスポットサイズを形成するようにさせられる。光学ファイバ２４ｃ及び２４ｄは異なるコア直径を有する。全ての光学ファイバが同じ開口数で光を伝えることが好ましい。なお、この構成は必須ではない。従って、動作開口数をこれらの異なるチャネルに対して等しく保つために、レンズ５８ｂ、５８ｃ、５８ｄに対するレンズ５８ａの光出力の変化を打ち消すようにアパーチャ６０を用いることができる。
【００４０】
各々の光学ファイバ２４ａ〜２４ｄの光出力は、付随の光学システム（例えば、レンズ５８ａ〜５８ｄ、アパーチャ６０等）による調整の後、２つのガルバノスキャナ６６、６８（ピエゾ・アクチュエータなど任意の周知の光学移動デバイスを使用することができるが）に取り付けられた２つの可動鏡６２、６４を備えたスキャナ・アセンブリ５２に向けられる。可動鏡６２、６４は、２つの直交軸内で回転して入射光を走査（即ち、移動）して、レーザスポットＬＳを任意の所望の光パターンＰで形成する。
【００４１】
可動鏡６２は回転して、光学ファイバ２４ａ〜２４ｄのうち任意の所与の１つからの光をスリット・ランプ・アセンブリ３の残りの部分に向け直すことができ、従って、光学ファイバからの出力を選択すると同時に、他の光学ファイバからのあらゆる光がスリット・ランプ・アセンブリ３全体にわたって存続することを妨げるように動作する。光学ファイバ２４ａ〜２４ｄの出力端は一致しないので、可動鏡６２は所望の光学ファイバからの光を遮断してその光を可動鏡６４に送るために回転する必要があり、可動鏡６４は直交軸内で光を更に移動させることができる。
【００４２】
この構成は、選択されない光学ファイバにより送出され得る何らかの迷光がシステムから出ることを防止するという付加的な利点を有する。図１において、光学ファイバ２４ｂが選択されたファイバとして描かれ、そこでこのファイバの出力は可動鏡６２、６４により走査されて、システムの残り部分にわたって進む光の走査パターンを形成する。
【００４３】
スキャナ・アセンブリ５２を出た、治療光源１２及び照準光源１６が走査されて形成された光パターンＰは、送出アセンブリ５４を通過するが、このアセンブリは、集光手段であるレンズ７０（画像平面ＩＰに中間走査パターンを生成する）、レンズＣＬ（眼球に集光するように光パターンを調整する）、鏡７４（光パターンを標的眼球組織の方向に向ける）、レンズ７６（無限遠補正顕微鏡対物レンズであることが好ましい）及びレンズＣＬ（光パターンＰを眼底ＥＦなどの標的眼球組織上に最終的に集光させるコンタクトレンズであることが好ましい）を備える。照明光源８０（例えばハロゲン電球）は、標的眼球組織である眼底ＥＦを照明するために用いて、施術者である医師が標的眼球組織を見ることができる。
【００４４】
医師は、双眼鏡アセンブリ５６により眼底ＥＦを直接見ることができる。この双眼鏡アセンブリ５６は、拡大光学素子（例えば、標的眼球組織の画像を、好ましくは調節可能な仕方で拡大するために用いられる１つ又はそれ以上のレンズ）、眼球安全フィルタ８４（潜在的に有害なレベルの光がユーザの眼に達することを防止し、そして明所視的に中立の透過率をもたらす色バランス型とすることができる）、光学素子８６、及び接眼レンズ８８を備える。
【００４５】
光パターンＰは、制御部９１の制御により、治療光源１２及び照準光源１６からの治療ビーム１４、照準ビーム１８を用いて、最終的に患者の眼底ＥＦの上に生成される。光パターンＰは、眼底ＥＦにスポット・パターンを描く。制御部９１は、入出力インターフェース９０によりシステムの各部に接続され、これらの各部を駆動制御する。
【００４６】
例えば、制御部９１は、フォトダイオード２８を治療ビーム１４が所望の出力レベルで生成されることを確実にするために監視する。また制御部９１は、治療光源１２、照準光源１６のスイッチをオン／オフする、出力レベルを設定するなどの操作、可動鏡３２を治療及び／又は治療ビーム１４、照準ビーム１８に対してどの光学ファイバを用いるかを選択するために操作する。そしてガルバノスキャナ６６、６８の方向を制御して、標的眼球組織の上に所望の光パターンＰを生成する。
【００４７】
制御部９１には、表示手段である液晶表示装置（ＬＣＤ）９２とタッチパネル９５が接続されている。液晶表示装置９２及びタッチパネル９５は、コンタクトレンズ情報入力手段及び照射ビーム値入力手段として機能する。タッチパネル９５は液晶表示装置９２の表面にタッチパネルを配置している。また、制御部９１には、指示入力部として、キーボード９３、マウスやジョイスティック等のポインティングデバイス９４が接続されている。
【００４８】
制御部９１は、ＣＰＵ(Central Processing Unit)、主記憶装置としてＲＯＭ（ReadOnly Memory）、（Random Access Memory）、補助記憶装置としてＨＤＤ（Hard Disc Drive）を備え、ＣＰＵによりプログラムを実行して各種の機能を実現する。即ち、図２（ｂ）に示すように、制御部９１は、コンタクトレンズ情報入力手段及び前記照射ビーム値入力手段である表示入力画面１００の各項目からの情報に基づいて演算を行い、治療光源１２の出力パワー、及びレーザビーム径設定手段２８０が出力するレーザビームのビーム径を出力する演算手段である演算部９６と、演算部９６の出力に基づいて治療光源１２の出力や、レーザビーム径設定手段２８０の駆動を制御する駆動制御部９７の機能を備える。また、制御部９１は、後述するコンタクトレンズデータ格納部９８を備える。
【００４９】
タッチパネル９５は、コンタクトレンズ情報入力手段及び照射ビーム値入力手段としての機能を備える。タッチパネル９５から、例えばスポットサイズ及びパターン、パルス時間幅、及び治療光源１２及び照準光源１６からの光出力など、に関する命令を出すと、粗調整のためのユーザによるスリット・ランプ・アセンブリ３の物理的な移動に加えて、標的組織上の光パターンＰの最終的な微調整は、可動鏡６２、６４が光ビームを走査するときに回転角を変えてパターン全体を標的組織上に移動させるようにするポインティングデバイス９４やタッチパネル９５を用いて更に制御することができる。この方法は、走査ビームの配置の非常に微細な制御を実現する。
【００５０】
ポインティングデバイス９４として付加的な入力デバイスを追加できる。この追加の入力デバイスとして、治療光源１２、照準光源１６の出力を調節するノブ、照準パターン及び／又は治療パターンの照射を起動するためのフットスイッチ又は他の起動デバイスなどを含めることができる。治療光源１２、照準光源１６の光出力の最終的な配置は、患者の眼底ＥＦに発生した網膜列孔の周囲をかも形状に光パターンＰを生成することである。
【００５１】
次にタッチパネル９５について説明する。図３は同眼科レーザシステムのタッチパネルを示すものであり、（ａ）は操作面の模式図、（ｂ）はレーザアウトプット指定部の遷移を示すフローチャートである。タッチパネル９５は、液晶表示装置９２の画像を透過する。タッチパネル９５には、図３（ａ）に示す表示入力画面１００が表示され、表示入力画面１００には、以下の表示及び入力項目が含まれる。
【００５２】
表示入力画面１００には、動作スタンバイ表示部１１０、眼底ＥＦに照射されるレーザスポットのエネルギー密度表示部１２０、照射回数表示部１３０、時刻表示部１４０、治療光源１２の出力パワー設定表示部１５０、照射時間設定表示部１６０、パターン選択部１７０、レーザスポット径設定表示部２１０、スペーシング設定表示部２２０、レーザアウトプット状態表示部２３０、コンタクトレンズ名選択部２４０、施術者名指定部２５０、既定値設定部２６０、エンドトリートメント設定部２７０が表示される。
【００５３】
動作スタンバイ表示部１１０には、眼科レーザシステム１の動作状態、即ち眼科レーザシステム１が動作中であるかスタンバイ中であるかが表示される。エネルギー密度表示部１２０には、眼底ＥＦに照射されるレーザスポットのエネルギー密度が表示される。照射回数表示部１３０には、レーザスポットの照射回数を表示される。時刻表示部１４０は、現在時刻が表示される。出力パワー設定表示部１５０には、治療光源１２の出力パワーが表示される。また、出力パワー設定表示部１５０から治療光源１２の出力パワーの設定を行う。この設定は、出力パワー設定表示部１５０右端の上下三角矢印をタッチすることによる。
【００５４】
照射時間設定表示部１６０には、レーザスポットの照射時間が表示される。また、照射時間設定表示部１６０からレーザスポットの照射時間を設定することができる。この設定は、照射時間設定表示部１６０右端の上下三角矢印をタッチすることによる。
【００５５】
パターン選択部１７０には、予め設定された３種類の選択部が表示されており、それぞれの選択部においてパターンの選択が可能である。この例では、予め照射時間２０ｍｓでの照射パターンを６つ選択可能に表示した第１表示選択部１８０と、１０ｍｓでの照射パターンを２つ選択可能に表示した第２表示選択部１９０と一つのスポットを選択可能な第３表示選択部２００とが表示される。レーザスポット径設定表示部２１０には、眼科レーザシステム１から照射されるレーザスポットのスポット径が表示される。また、レーザスポット径設定表示部２１０からレーザスポットのスポット径を設定できる。この設定は、レーザスポット径設定表示部２１０右端の上下三角矢印をタッチすることによる。このレーザスポット径設定表示部２１０の設定により、可動鏡３２が駆動して治療光源１２からの光が光学ファイバ２４ａ〜２４ｄのファイバポート２５ａ〜２５ｄのいずれかに入射され、眼科レーザシステム１から射出されるレーザビームの径が設定される。
【００５６】
スペーシング設定表示部２２０には、パターンを照射したとき、レーザスポットとレーザスポットの隙間寸法が表示される。例えば、０．５０φはスポット径２００μｍに対して、５０％（＝１００μｍ）の隙間があいていることを意味する。また、スペーシング設定表示部２２０からレーザスポット間の隙間間隔を設定することができる。この設定は、スペーシング設定表示部２２０右端の上下三角矢印をタッチすることによる。
【００５７】
レーザアウトプット状態表示部２３０には、現在のレーザアウトプット（患者眼Ｅの眼底ＥＦに照射されるレーザスポットのエネルー密度）の制御モードが表示される。本実施形態では、レーザアウトプット状態表示部２３０をタッチすることで、レーザアウトプットの制御モードを変更できる。設定できる制御モードは、「同一アウトプットオフモード」表示は「Ｓａｍｅ  Ｌａｓｅｒ  Ｏｕｔｐｕｔ  ＯＦＦ」）、「同一アウトプットスポット径同一モード」（同「Ｓａｍｅ  Ｌａｓｅｒ  Ｏｕｔｐｕｔ  Ｓａｍｅ  Ｓｐｏｔ  Ｄｉａｍｅｔｅｒ」）、「同一アウトプット同一パワーモード」（同「Ｓａｍｅ  Ｌａｓｅｒ  Ｏｕｔｐｕｔ  Ｓａｍｅ  ｐｏｗｅｒ」）、「同一アウトプットオンモード」（同「Ｓａｍｅ  Ｌａｓｅｒ  Ｏｕｔｐｕｔ」）である。
【００５８】
図３（ｂ）に示すように、レーザアウトプット状態表示部２３０をタッチすることにより、「同一アプトプットオフモード」（ステップＳＡ１）、「同一アウトプットスポット径同一モード」（ステップＳＡ２）、「同一アウトプット同一パワーモード」（ステップＳＡ３）、「同一アウトプットオンモード」（ステップＳＡ４）を循環するように設定できる。
【００５９】
各モードでは、コンタクトレンズ変更に伴うスポット倍率の変更に対応して以下の制御を行う。
「同一アウトプットオフモード」では、レーザアウトプット制御を停止する。
「同一アウトプットスポット径同一モード」では、眼科レーザシステム１から照射されるレーザスポットのスポット径を変更することなく治療光源１２のパワーを制御して眼底ＥＦに照射されるレーザスポットのエネルギー密度を保つ。
「同一アウトプット同一パワーモード」では、治療光源１２のパワーを変更することなく出力されるレーザスポット径を変更して眼底ＥＦに照射されるレーザスポットのエネルギー密度を保つ。言い換えると、コンタクトレンズを介した眼底ＥＦでのスポット径は、保たれる。
「同一アウトプットオンモード」では、眼科レーザシステム１から出力されるレーザスポット径を任意に変更し、治療光源１２のパワーを制御して眼底ＥＦに照射されるエネルギー密度を保つ。
【００６０】
なお、実際の眼科レーザシステム１では、上述した「同一アプトプットオフモード」と、「同一アウトプットオンモード」だけの設定ができるだけでも充分に実用的である。
【００６１】
コンタクトレンズ名選択部２４０から、予め登録しておいたコンタクトレンズの名称を選択することができる。この選択は、予め登録しておいたコンタクトレンズの名称からプルダウンすることによる。制御部９１には、患者眼に装着するコンタクトレンズの名称とこのコンタクトレンズのレーザスポット倍率とを関連付けて記憶するコンタクトレンズデータ格納手段を備えている。制御部９１は、入力されたコンタクトレンズの名称から、レーザスポット倍率を取得して演算を行う。
【００６２】
施術者名指定部２５０では、施術を行う医師等の名称を設定する。予め登録しておいた施術者名からプルダウンして選択することができる。既定値設定部２６０からは、光源の出力パワー値、照射時間、レーザスポット径、スペーシング等を予め既定値として設定する。即ち、これらに名前を付して既定値を複数記憶させることができる。
【００６３】
エンドトリートメント設定部２７０は、治療が終わった後、眼科レーザシステム１を初期画面に戻すときに操作する。
【００６４】
次に本実施形態に係る眼科レーザシステム１の動作について説明する。眼科レーザシステム１は、以下の態様で用いられる。
【００６５】
例えば、眼底ＥＦの後極部の治療においては、予め設定したレーザスポット径、エネルギー密度でレーザレーザスポットを照射して治療を行う。これらの値は、治療の内容や患者眼Ｅの個体により異なっている。
【００６６】
この場合、レーザスポットを、以下の設定として照射したとする。
・光源出力：第１設定値（Ａ１）
・スポット径：第１設定値（Ｂ１）
・照射時間：第１設定値（Ｃ１）
・コンタクトレンズ：第１倍率（Ｎ１）
この結果、エネルギー密度は、第１設定（Ｄ１）となる。
【００６７】
続いて、眼底周辺を治療するために、コンタクトレンズを交換して第２コンタクトレンズに変更する。このとき、コンタクトレンズの倍率が変更される。本実施形態に係る眼科レーザシステム１は、眼底ＥＦに照射するレーザスポットのレーザスポット径と、エネルギー密度が変更されないように光源の出力を調整する。
・光源出力：第２設定値（Ａ２）
・レーザスポット径：第１設定値（Ｂ１）
・照射時間：第１設定値（Ｃ１）
・第２コンタクトレンズ：第２倍率（Ｎ２）
・エネルギー密度：第１設定値（Ｄ１）
【００６８】
また、第２コンタクトレンズを使用してスポット径を変更（Ｂ２）とすることがあり、この場合もエネルギー密度が変更されないように光源の出力を調整する。
・光源出力：第１設定値（Ａ１）
・レーザスポット径：第２設定値（Ｂ２）
・照射時間：第１設定値（Ｃ１）
・第２コンタクトレンズ：第２倍率（Ｎ２）
・エネルギー密度：第１設定値（Ｄ１）
【００６９】
更に、光源の出力とスポット径の両方を調整することがあり、この場合も実施形態に係る眼科レーザシステム１は、レーザスポットのエネルギー密度が変更されないようにする。
・光源出力：第３設定値（Ａ３）
・レーザスポット径：第３設定値（Ｂ３）
・照射時間：第１設定値（Ｃ１）
・第２コンタクトレンズ：第２倍率（Ｎ２）
・エネルギー密度：第１設定値（Ｄ１）
【００７０】
以上のように、第１コンタクトレンズから第２コンタクトレンズに変更してレーザスポットを照射するに際して、眼底ＥＦに照射されるレーザスポットのエネルギー密度が同じになるように、眼科レーザシステム１は、光源出力、及びスポット径の一方又は両方を切り換える。
【００７１】
ここで、エネルギー密度は以下の式で表される。
エネルギー密度＝
光源出力×照射時間/{1/4×π×(スポット径×コンタクトレンズ倍率)２}
これは、レーザスポットにおける単位面積当たりのエネルギーを表す。エネルギー密度が同じということは、標的組織に加えられる単位面積あたりのエネルギーが同じとなり、標的組織における瘢痕の付き具合が同じとなる。
【００７２】
本実施形態に係る眼科レーザシステム１では、表示入力画面１００から使用するコンタクトレンズ名を入力して倍率を取得し、上述した光源出力及びレーザスポット径の値を自動的に変更して、常に同じエネルギー密度のレーザスポットを眼底ＥＦに照射するものである。
【００７３】
以下、具体例について説明する。図４は同眼科レーザシステムの処理を示すフローチャート、図５はレーザアウトプットを一定とした場合の操作面を示す模式図、図６はレーザスポット径を一定とした場合の操作面を示す模式図である。ここでは、最初に倍率が２倍のコンタクトレンズを選択して使用している状態から、倍率が１倍のコンタクトレンズに変更し、レーザスポット径を保つ場合と、変更する場合について説明する。
【００７４】
まず、レーザスポット倍率が２倍のコンタクトレンズを選択し（ステップＳ１）、患者眼Ｅに装着する。この状態で、図３（ａ）に示すように、表示入力画面１００のコンタクトレンズ名選択部２４０で使用するコンタクトレンズの名称（この例では「ＡＡＡ」）、を選択して指定する。制御部９１は、コンタクトレンズデータ格納部９８から、このコンタクトレンズのスポット倍率が２倍であることを取得する。
【００７５】
次にスポット径を選択する（ステップＳ２）。例えば、レーザスポット径２００μｍを選択する。この設定は表示入力画面１００のレーザスポット径設定表示部２１０から行う。このレーザスポット径は必要に応じて選択できる。
【００７６】
更に、治療光源１２の出力パワーと、照射時間を選択する（ステップＳ３）。この選択は、表示入力画面１００の出力パワー設定表示部１５０と照射時間設定表示部１６０から行う。ここでは、出力パワー３００ｍＷで２０ｍｓの照射時間とする。この出力パワー、照射時間は、必要に応じて選択できる。
【００７７】
これにより、制御部９１の演算部は、レーザスポットのエネルギー密度を演算して、エネルギー密度表示部１２０に表示し、施術者はこの値を確認する（ステップＳ４）。そして、眼科レーザシステム１の治療光源１２を発振させて患者眼Ｅにレーザスポットを照射する（ステップＳ５）。
【００７８】
この状態から、レーザアウトプット状態表示部２３０をタッチして、眼科レーザシステム１を「同一アウトプットオンモード」にする。そして、コンタクトレンズを変更してレーザスポット倍率１倍のものを使用する。更に、表示入力画面１００のコンタクトレンズ名選択部２４０を操作して新たなコンタクトレンズ（この例では「ＢＢＢ」）を指定する。制御部９１は、コンタクトレンズデータ格納部９８から、このコンタクトレンズのスポット倍率が１倍であることを取得する（図５、図６参照）。なお、図５、図６において図４の表示と異なっている部分を色付けしているが、各部は必ずしも色付けが必要ではない。
【００７９】
以下、レーザスポット径を保つ場合（ステップＳ７のＮｏ）と、変更して新たなレーザスポット径を選択する場合（ステップＳ７のＹｅｓ）に分けて説明する。いずれの場合にも、眼科レーザシステム１から眼底ＥＦに照射されるレーザスポットのエネルギー密度は、前回の照射と同程度となる。
【００８０】
レーザスポット径を変更しない場合（ステップＳ７のＮｏ）には、制御部９１の演算部９６は、照準光源１６が出力するパワー（新出力）を以下の演算で求める。
【００８１】
新出力＝前出力×（新レーザスポット倍率／前レーザスポット倍率）２
ここでは前出力が３００ｍＷ、新レーザスポット倍率が１、前レーザスポット倍率が２であるので、新出力＝３００ｍＷ×（１／２）２＝３００×（１／４）≒８０ｍ、となる。これにより、制御部９１は、駆動制御部９７により、治療光源１２の出力を８０ｍＷに設定する。
【００８２】
次いで、制御部９１は演算部９６により、眼底ＥＦでのレーザスポットＬＳのエネルギー密度を演算する。これらの値は、図６に示すように、表示入力画面１００のエネルギー密度表示部１２０、出力パワー設定表示部１５０、レーザスポット径設定表示部２１０に表示される。ここで、表示入力画面１００には、図５に示すように、エネルギー密度として、前回のエネルギー密度４．８Ｊ／ｃｍ２と同程度である５．１Ｊ／ｃｍ２を取得して、表示入力画面１００のエネルギー密度表示部１２０に表示する、施術者はこの値を確認する（ステップＳ１０）。
【００８３】
施術者は、このエネルギー密度が前回と同じか同等であることを確認した後（ステップＳ１１のＹｅｓ）、治療光源１２を発振させて、眼科レーザシステム１からコンタクトレンズＣＬを経て眼底ＥＦにレーザスポットを照射する。もし、エネルギー密度が前回と同じか同等でない場合には、（ステップＳ１１のＮｏ）、治療光源１２の出力と、照射時間を再度選択し（ステップＳ１３）、同じ判断を行う。
【００８４】
一方、レーザスポット径を選択する場合（ステップＳ７のＹｅｓ）には、制御部９１の演算部９６は、新たなレーザスポット径を以下の演算で求める（ステップＳ１４）。
【００８５】
新スポット径＝前スポット径×前レーザスポット倍率／新レーザスポット倍率
ここでは、前スポット径が２００μｍ、新レーザスポット倍率が１、前レーザスポット倍率が２であるので、新スポット径＝２００μｍ×（１／２）＝４００μｍ、となる。これらの値は、図６に示すように、表示入力画面１００のエネルギー密度表示部１２０、出力パワー設定表示部１５０、レーザスポット径設定表示部２１０に表示される。
【００８６】
これにより、制御部９１は、駆動制御部９７により、レーザビーム径設定手段２８０を制御して可動鏡３２からの反射光をファイバポート２５ａ（４００μｍ）に照射させる（ステップＳ１５）。
【００８７】
次いで、制御部９１は演算部９６により、眼底ＥＦでのレーザスポットのエネルギー密度を演算し、４．８Ｊ／ｃｍ２を取得して、表示入力画面１００のエネルギー密度表示部１２０に表示し、施術者はこの値を確認する（ステップＳ１６）。
【００８８】
このエネルギー密度が前回と同じか同等であることを確認して（ステップＳ１７のＹｅｓ）、施術者は、治療光源１２を発振させて、眼科レーザシステム１からコンタクトレンズＣＬを経て眼底ＥＦにレーザスポットを照射する。もし、エネルギー密度が前回と同じか同等でない場合には、（ステップＳ１７のＮｏ）、治療光源１２の出力と、照射時間を再度選択し（ステップＳ１８）、同じ判断を行う。
【００８９】
以上のように本実施形態に係る眼科レーザシステム１によれば、スポット・パターンの大きさや角度の設定を確実かつ簡単に行うことができる。なお、上述した治療光源１２のパワーの設定値は、図示しない他の表示部に表示するだけとし、治療光源１２のパワー設定は出力パワー設定表示部１５０の三角矢印で設定するようにしてもよい。
【００９０】
なお、上記実施形態では、使用するコンタクトレンズのレーザスポット倍率をコンタクトレンズ名からコンタクトレンズデータ格納部９８を参照して取得したが、レーザスポット倍率を演算部９６に入力できるように液晶表示装置９２、タッチパネル９５を設定することができる。これにより、予め登録していないコンタクトレンズを使用することができる。
【符号の説明】
【００９１】
１：眼科レーザシステム
２：光源アセンブリ
３：スリット・ランプ・アセンブリ
１２：治療光源（光源）
１４：治療ビーム
１６：照準光源
１８：照準ビーム
２０：レンズ
２２：曲面鏡
２４：光学ファイバ束
２４ａ、２４ｂ、２４ｃ、２４ｄ：光学ファイバ
２５ａ、２５ｂ、２５ｃ、２５ｄ：ファイバポート
９０：入出力インターフェース
９１：制御部
９２：液晶表示装置
９３：キーボード
９４：ポインティングデバイス
９５：タッチパネル
９６：演算部
９７：駆動制御部
９８：コンタクトレンズデータ格納部
１００：表示入力画面
１１０：動作スタンバイ表示部
１２０：エネルギー密度表示部
１３０：照射回数表示部
１４０：時刻表示部
１５０：出力パワー設定表示部
１６０：照射時間設定表示部
１７０：パターン選択部
２１０：レーザスポット径設定表示部
２３０：レーザアウトプット状態表示部
２４０：コンタクトレンズ名選択部
２８０：レーザビーム径設定手段
ＣＬ：コンタクトレンズ
Ｅ：患者眼
ＥＦ：眼底
ＬＳ：レーザスポット
【図１】
2018102644.tif 000003
【図２】
2018102644.tif 000004
【図３】
2018102644.tif 000005
【図４】
2018102644.tif 000006
【図５】
2018102644.tif 000007
【図６】
2018102644.tif 000008
【図７】
2018102644.tif 000009
【図８】
2018102644.tif 000010